(57)【要約】【課題】ケース本体内に収容される内容物を確実に保護することができる収容容器を提供する。【解決手段】ケース本体１０と筒状体５０とを有する収容容器であって、ケース本体は、底板１１と、底板の第一の縁部１１ａ上に底板から立設するよう形成された第一の壁部１２と、底板の対向する一対の第二の縁部１１ｃ上にそれぞれ形成され、第一の壁部と連結された一対の第二の壁部１３、１４とを有し、第一の壁部は、第一の縁部上から立設する第一の内側板片２１と、第一の内側板片が立設する先端部から延びる第一の天板片２２と、第一の天板片の先端部から底板側に折り返すように延びる第一の外側板片２３とを備え、第二の壁部は、第二の縁部上から立設する第二の内側板片３１と、第二の内側板片が立設する先端部から延びる第二の天板片３２と、第二の天板片の先端部から底板側に折り返すように延びる第二の外側板片３３とを備える。【選択図】図２
2015030506.tif 000002
【特許請求の範囲】
【請求項１】
真空成形により形成されたケース本体と、前記ケース本体が挿通可能とされた筒状体とを有する収容容器であって、
前記ケース本体は、
矩形状に形成された底板と、
前記底板の第一の縁部上に前記底板から立設するよう形成された第一の壁部と、
前記底板の対向する一対の第二の縁部上にそれぞれ形成され、前記第一の壁部と連結された一対の第二の壁部と、
を有し、
前記第一の壁部は、
前記第一の縁部上から立設する第一の内側板片と、
前記第一の内側板片が立設する先端部から前記底板と平行に前記底板から離間する方向に延びる第一の天板片と、
前記第一の内側板片に対向するように配置され、前記第一の天板片の先端部から前記底板側に折り返すように延びる第一の外側板片と、
を備え、
それぞれの前記第二の壁部は、
前記第二の縁部上から立設する第二の内側板片と、
前記第二の内側板片が立設する先端部から前記底板と平行に前記底板から離間する方向に延びる第二の天板片と、
前記第二の内側板片に対向するように配置され、前記第二の天板片の先端部から前記底板側に折り返すように延びる第二の外側板片と、
を備えることを特徴とする収容容器。
【請求項２】
前記ケース本体は、前記底板における前記第一の壁部と反対側の縁部に回動可能に連結された蓋板を有し、
前記第一の縁部に沿う方向の長さは、前記筒状体の筒孔よりも前記蓋板の方が長いことを特徴とする請求項１に記載の収容容器。
【請求項３】
前記ケース本体は、前記蓋板における前記底板と反対側の縁部に回動可能に連結された係合板を有し、
前記筒状体には、前記係合板の一部が挿通可能なスリットが形成され、
前記筒状体内に前記ケース本体を収容し、前記筒状体の開口を覆うように前記蓋板を配置したときに、前記スリット内に前記係合板が挿通可能となることを特徴とする請求項２に記載の収容容器。
【請求項４】
前記ケース本体は、一対の前記第二の壁部における前記第一の壁部に連結された側とは反対側の端部にそれぞれ連結され、前記第一の壁部が立設する立設方向の長さが前記第二の壁部よりも短い補助壁部を有することを特徴とする請求項１から３のいずれか一項に記載の収容容器。
【請求項５】
前記第二の外側板片には、前記第一の壁部が立設する立設方向に対する側方に突出する突部が設けられ、
前記筒状体には、前記筒状体内に前記ケース本体を収容したときに前記突部が挿通可能な側孔が形成されていることを特徴とする請求項１から４のいずれか一項に記載の収容容器。
【発明の詳細な説明】
【技術分野】
【０００１】
本発明は、筒状体からケース本体が出し入れ可能とされた収容容器に関する。
【背景技術】
【０００２】
従来、タバコや粒状菓子などを販売したり試供品を提供したりするために、これら内容物を収容可能な収容容器が用いられている。
この種の収容容器としては、例えば特許文献１に記載された錠剤等振出し容器が知られている。この錠剤等振出し容器は、前後方向に長い矩形状の筒状体と、筒状体内へ着脱自在かつ筒状体内嵌合状態においては進退自在に形成したケース本体とを有している。
【０００３】
筒状体は、周壁下面および上面を底板と頂板とで閉塞し、周壁の後端面を開口する。前壁左右の一方側部と外側部側の一方側壁前部とを連続して開口させている。
ケース本体は、底板周縁から周壁を起立する。ケース本体後部の他方側部には外方張出しを突設させており、外方張出し前面は前内方への傾斜面としている。筒状体の前面開口後方の、ケース本体前部の一方側部部分は前方張出しさせて、上面開口の振出し口付き突設部としている。
【０００４】
筒状体内へのケース本体嵌合状態にあっては、筒状体の前面開口を振出し口付き突設部前面が、側壁開口を振出し口付き突設部の一方側壁部分および該側壁部分後方のケース本体一方側壁前部が閉塞している。振出し口付き突設部の一方側壁外面へは多数の滑止め突条を縦設している。
ケース本体および筒状体は、それぞれ合成樹脂材で一体成形している。
このように構成された錠剤等振出し容器において、ケース本体内の錠剤等の振出しは以下のように行われる。すなわち、滑止め突条に指掛けして、ケース本体前壁が筒状体前壁へ接するまで前進させる。振出し口付き突設部上面が形成する振出し口から、錠剤等を振出す。
【先行技術文献】
【特許文献】
【０００５】
【特許文献１】特許第４３０５７６４号公報
【発明の概要】
【発明が解決しようとする課題】
【０００６】
しかしながら、特許文献１に記載された錠剤等振出し容器では、ケース本体において底板周縁から周壁を起立している。このため、周壁が損傷した場合などに、ケース本体内に収容される内容物を保護できなくなる可能性がある。
【０００７】
本発明は、このような問題点に鑑みてなされたものであって、ケース本体内に収容される内容物を確実に保護することができる収容容器を提供することを目的とする。
【課題を解決するための手段】
【０００８】
上記課題を解決するために、この発明は以下の手段を提案している。
本発明の収容容器は、真空成形により形成されたケース本体と、前記ケース本体が挿通可能とされた筒状体とを有する収容容器であって、前記ケース本体は、矩形状に形成された底板と、前記底板の第一の縁部上に前記底板から立設するよう形成された第一の壁部と、前記底板の対向する一対の第二の縁部上にそれぞれ形成され、前記第一の壁部と連結された一対の第二の壁部と、を有し、前記第一の壁部は、前記第一の縁部上から立設する第一の内側板片と、前記第一の内側板片が立設する先端部から前記底板と平行に前記底板から離間する方向に延びる第一の天板片と、前記第一の内側板片に対向するように配置され、前記第一の天板片の先端部から前記底板側に折り返すように延びる第一の外側板片と、を備え、それぞれの前記第二の壁部は、前記第二の縁部上から立設する第二の内側板片と、前記第二の内側板片が立設する先端部から前記底板と平行に前記底板から離間する方向に延びる第二の天板片と、前記第二の内側板片に対向するように配置され、前記第二の天板片の先端部から前記底板側に折り返すように延びる第二の外側板片と、を備えることを特徴としている。
【０００９】
また、上記の収容容器において、前記ケース本体は、前記底板における前記第一の壁部と反対側の縁部に回動可能に連結された蓋板を有し、前記第一の縁部に沿う方向の長さは、前記筒状体の筒孔よりも前記蓋板の方が長いことがより好ましい。
また、上記の収容容器において、前記ケース本体は、前記蓋板における前記底板と反対側の縁部に回動可能に連結された係合板を有し、前記筒状体には、前記係合板の一部が挿通可能なスリットが形成され、前記筒状体内に前記ケース本体を収容し、前記筒状体の開口を覆うように前記蓋板を配置したときに、前記スリット内に前記係合板が挿通可能となることがより好ましい。
【００１０】
また、上記の収容容器において、前記ケース本体は、一対の前記第二の壁部における前記第一の壁部に連結された側とは反対側の端部にそれぞれ連結され、前記第一の壁部が立設する立設方向の長さが前記第二の壁部よりも短い補助壁部を有することがより好ましい。
また、上記の収容容器において、前記第二の外側板片には、前記第一の壁部が立設する立設方向に対する側方に突出する突部が設けられ、前記筒状体には、前記筒状体内に前記ケース本体を収容したときに前記突部が挿通可能な側孔が形成されていることがより好ましい。
【発明の効果】
【００１１】
本発明の収容容器によれば、ケース本体内に収容される内容物を確実に保護することができる。
【図面の簡単な説明】
【００１２】
【図１】本発明の一実施形態の収容容器の斜視図である。
【図２】同収容容器のケース本体を展開した状態の平面図である。
【図３】同ケース本体を展開した状態の側面図である。
【図４】図２中の切断線Ａ１−Ａ１の断面図である。
【図５】図２中の切断線Ａ２−Ａ２の断面図である。
【図６】同収容容器の筒状体を展開した状態の平面図である。
【図７】同収容容器の作用を説明する平面図である。
【図８】本発明の変形例の実施形態における収容容器の斜視図である。
【図９】本発明の変形例の実施形態における収容容器の斜視図である。
【図１０】本発明の変形例の実施形態における収容容器の斜視図である。
【発明を実施するための形態】
【００１３】
以下、本発明に係る収容容器の一実施形態を、図１から図１０を参照しながら説明する。以下では、収容容器がタバコ用ケースである場合を例にとって説明する。
図１から図３に示すように、本タバコ用ケース１は、内容物としてタバコＴを収容するものであり、ケース本体１０と、ケース本体１０が挿通可能とされたスリーブ（筒状体）５０とを有している。
説明の便宜上、タバコＴは図２および図３のみに示し、スリーブは図によっては二点鎖線で示している。
【００１４】
ケース本体１０は、矩形状に形成された底板１１と、底板１１の第一の縁部１１ａ上に底板１１の第一の面１１ｂ側に立設するよう形成された第一の壁部１２と、底板１１の対向する一対の第二の縁部１１ｃ上にそれぞれ形成され、第一の壁部１２と連結された一対の第二の壁部１３、１４とを有している。
以下では、第二の縁部１１ｃに沿った第一の壁部１２に対する後述する補助壁部４１側を「先端側」と称し、先端側の反対側を「基端側」と称する。
なお、ケース本体１０は、後述するようにポリプロピレンなどの弾性を有する樹脂で形成されたシートを真空成形することにより、底板１１、第一の壁部１２、第二の壁部１３、１４、補助壁部４１、蓋板４６および係合板４７を一体に成形したものである。すなわち、ケース本体１０はいずれの部分においても、ほぼ均一な厚さとなっている。このシートの厚さは、例えば０．３ｍｍ〜０．５ｍｍ程度である。
【００１５】
底板１１は、第一の縁部１１ａよりも第二の縁部１１ｃの方が長い。第二の縁部１１ｃの長さは、一般的なタバコＴの長さよりも長い。
第一の壁部１２は、図２および図４に示すように、第一の縁部１１ａ上から立設する第一の内側板片２１と、第一の内側板片２１が立設する先端部から底板１１と平行に延びる第一の天板片２２と、第一の天板片２２の先端部から底板１１側に折り返すように延びる第一の外側板片２３とを備えている。
第一の天板片２２は、第一の内側板片２１が立設する先端部を起点として、底板１１から離間する方向に延びている。底板１１と第一の天板片２２との距（底板１１の厚さ方向の距離。）は、一般的なタバコＴの外径にほぼ等しい。
第一の外側板片２３は、第一の内側板片２１に対向するように配置されている。側板片２１、２３は、底板１１から離間するにしたがって互いに近づくように形成されている。
第一の壁部１２には、側板片２１、２３および第一の天板片２２により、底板１１の第二の面１１ｄ側から凹んだ穴部１２ａが形成されている。
第一の壁部１２は、第一の縁部１１ａの全長にわたり形成されている。
【００１６】
第二の壁部１３、１４は、後述する係止用突部３６および操作用突部３７以外は、底板１１を挟んで対称となるように形成されている。
第二の壁部１３は、図２および図５に示すように、第二の縁部１１ｃ上から底板１１の第一の面１１ｂ側に立設する第二の内側板片３１と、第二の内側板片３１が立設する先端部から底板１１と平行に延びる第二の天板片３２と、第二の天板片３２の先端部から底板１１側に折り返すように延びる第二の外側板片３３とを備えている。
第二の天板片３２は、第二の内側板片３１が立設する先端部を起点として、底板１１から離間する方向に延びている。底板１１と第二の天板片３２との距離は、底板１１と第一の天板片２２との距離に等しい。
第二の外側板片３３は、第二の内側板片３１に対向するように配置されている。側板片３１、３３は、底板１１から離間するにしたがって互いに近づくように形成されている。
【００１７】
側板片３１、３３および第二の天板片３２における第一の壁部１２とは反対側の端部には、先端板片３４が連結されている（図２参照。）。先端板片３４は、底板１１から離間するにしたがって第一の壁部１２に近づくように傾斜した形状に形成されている。
第二の壁部１３には、側板片３１、３３、第二の天板片３２および先端板片３４により、底板１１の第二の面１１ｄ側から凹んだ穴部１３ａが形成されている。
第二の壁部１３は、図２に示すように、第二の縁部１１ｃの第一の壁部１２側の端から、第二の縁部１１ｃの中間部まで形成されている。
第二の壁部１３、１４の第二の内側板片３１の端部は、第一の壁部１２の第一の内側板片２１に連結されている。同様に、各第二の天板片３２の端部は第一の天板片２２に連結され、各第二の外側板片３３の端部は第一の外側板片２３に連結されている。第二の壁部１３の穴部１３ａ、および第二の壁部１４の穴部１４ａ（図５参照。）は、第一の壁部１２の穴部１２ａに連通している。
【００１８】
第二の壁部１３において、図１および図２に示すように第二の外側板片３３には、第一の壁部１２が立設する立設方向Ｄに対する側方、すなわち第二の壁部１３における第二の壁部１４とは反対側に突出する係止用突部（突部）３６および操作用突部３７が設けられている。操作用突部３７は、係止用突部３６よりも基端側に配置されている。第二の外側板片３３から突出する長さは、係止用突部３６よりも操作用突部３７の方が長い。操作用突部３７には、立設方向Ｄに沿って延びる複数の溝部３７ａが形成されている。複数の溝部３７ａは、第二の縁部１１ｃに沿う、ケース本体１０の長手方向に沿って並べて形成されている。
【００１９】
図２および図４に示すように、底板１１の一対の第一の縁部１１ａのうち第一の壁部１２が形成されていない方には、第一の面１１ｂ側に補助壁部４１が立設されている。補助壁部４１は、第一の縁部１１ａ上だけでなく、第二の縁部１１ｃの一部上にも形成されている。
補助壁部４１は第一の壁部１２と同様に構成されていて、補助壁部４１には第一の壁部１２の穴部１２ａと同様の穴部４１ａが形成されている。補助壁部４１は、立設方向Ｄの長さが、第一の壁部１２および第二の壁部１３、１４よりも短い。補助壁部４１は、第二の壁部１３、１４における第一の壁部１２に連結された側とは反対側の端部にそれぞれ連結されている。
補助壁部４１が底板１１の第一の縁部１１ａ上に立設することで、底板１１と補助壁部４１との間に段差４１ｂが形成されている。補助壁部４１の穴部４１ａは、第二の壁部１３の穴部１３ａおよび第二の壁部１４の穴部１４ａに連通している。
底板１１の第一の面１１ｂ側であって、第一の壁部１２、第二の壁部１３、１４および補助壁部４１で囲われた収容空間Ｒ１内に、タバコＴが収容される。
【００２０】
ケース本体１０の補助壁部４１側には、蓋板４６および係合板４７が設けられている。
蓋板４６は、矩形状に形成されている。蓋板４６の第一の縁部１１ａに沿う方向の長さ（幅）Ｌ１の方が、スリーブ５０の筒孔５１の第一の縁部１１ａに沿う方向の長さＬ２よりも長い。蓋板４６は、補助壁部４１を介して底板１１における第一の壁部１２と反対側の縁部に、補助壁部４１周りに回動可能に連結されている。
係合板４７は、先端部が蓋板４６と反対側に向かって凸となる半円状に形成されている。係合板４７は、蓋板４６における底板１１と反対側の縁部に、この縁部周りに回動可能に連結されている。
【００２１】
このように構成されたケース本体１０は、以下のように製造される。
すなわち、図２および図３に示すように、底板１１に対して蓋板４６および係合板４７がほぼ同一面上に配置されるように開いた形状のケース本体１０を真空成形により形成する。不図示の刃物を用いて、補助壁部４１と蓋板４６との接続部分、蓋板４６と係合板４７との接続部分に溝やミシン目を形成し、これらの接続部分が回動軸となるように加工する。
図３における領域Ｒ２側に配された成形用の金型（不図示）から、成形されたケース本体１０を取外す。
【００２２】
次に、スリーブ５０について説明を行う。
スリーブ５０は、図１および図２に示すように、長手方向に直交する平面による断面形状が矩形の輪郭状に形成され、全体として角筒状に形成されている。すなわち、前述の筒孔５１は直方体状である。
スリーブ５０は、対向するように配置された天板５２および底板５３と、天板５２と底板５３とを連結する側板５４、５５とを有している。天板５２の先端側には、先端側に向かって凸となるように湾曲したスリット５２ａが形成されている。側板５４の長手方向の中間部には、側孔５４ａが形成されている。
スリーブ５０の筒孔５１の幅は、底板１１および第二の壁部１３、１４の全体としての幅よりもわずかに広く、スリーブ５０の筒孔５１の高さは、底板１１および第二の壁部１３、１４の全体としての高さよりもわずかに高い。スリーブ５０の長手方向の長さは、底板１１、第一の壁部１２および補助壁部４１の全体としての長さにほぼ等しい。
スリーブ５０は、白板紙などの厚紙で形成されている。必要に応じて、スリーブ５０の外面に文字や図形などを印刷してもよい。
【００２３】
スリーブ５０の筒孔５１内にケース本体１０を収容したときに、スリーブ５０の側孔５４ａに係止用突部３６および操作用突部３７が挿通し、側孔５４ａに係止用突部３６および操作用突部３７が係止される。
補助壁部４１と蓋板４６との接続部分で折り曲げて、図１に示すようにスリーブ５０の先端側の開口を覆うように蓋板４６を配置するとともに、蓋板４６と係合板４７との接続部分で折り曲げて係合板４７を基端側に折り返すように配置する。このときに、スリーブ５０のスリット５２ａ内に係合板４７の先端部が挿通可能となる。
【００２４】
このように構成されたスリーブ５０は、以下のように製造される。図示はしないが、公知のダイカット装置を用いて、矩形状などの白板紙から図６に示すようにスリーブ５０を展開した形状に切り落とす。
この展開形状のスリーブ５０は、天板５２、側板５４、底板５３および側板５５がこの順で連結されている。側板５５における底板５３とは反対側には、フラップ５６が連結されている。なお、天板５２および底板５３は側板５４、５５よりも先端側および基端側にそれぞれ突出していて、天板５２および底板５３における先端側および基端側に突出した部分の隅部は、角が無いように丸く形成されている。
天板５２と側板５４との接続部分、側板５４と底板５３との接続部分、底板５３と側板５５との接続部分、側板５５とフラップ５６との接続部分でそれぞれ折り曲げる。フラップ５６と天板５２とを糊付けなどにより固定し、スリーブ５０を製造する。
【００２５】
次に、以上のように構成された本タバコ用ケース１の作用について説明する。
スリーブ５０にケース本体１０を挿通させるときには、収容空間Ｒ１内に所定の本数のタバコＴを収容したケース本体１０を、スリーブ５０の先端側から挿通させる。このとき、係止用突部３６および操作用突部３７が側板５４により押されることで、第二の壁部１３および底板１１が第二の壁部１４側に弾性的に変形する。
スリーブ５０の筒孔５１内にケース本体１０が収容されると、突部３６、３７は第二の壁部１３などの弾性力により元の形状に復元して、スリーブ５０の側孔５４ａに係止用突部３６および操作用突部３７が挿通する。側孔５４ａに係止用突部３６および操作用突部３７が係止されるため、スリーブ５０に対してケース本体１０が移動できなくなる。
補助壁部４１と蓋板４６との接続部分、蓋板４６と係合板４７との接続部分でそれぞれ折り曲げ、スリーブ５０の先端側の開口を蓋板４６で覆い、スリーブ５０のスリット５２ａ内に係合板４７の先端部を挿通させる。スリット５２ａに係合板４７が係止されることで、蓋板４６および係合板４７が開かなくなる。
【００２６】
本タバコ用ケース１からタバコＴを取出す操作は以下のようになる。
タバコ用ケース１を手で把持して、図７に示すように指Ｆで操作用突部３７を第二の壁部１４側に押す。操作用突部３７が第二の壁部１４側に移動し、第二の壁部１３が第二の壁部１４側に変形することで、係止用突部３６も第二の壁部１４側に移動する。これにより、側孔５４ａと係止用突部３６および操作用突部３７との係止が解除され、スリーブ５０に対してケース本体１０が長手方向に移動できるようになる。
しかし、蓋板４６の長さＬ１の方が筒孔５１の長さＬ２よりも長く、スリーブ５０の先端面に蓋板４６が係止されるため、スリーブ５０に対してケース本体１０を基端側に移動できない。
ケース本体１０が先端側に移動して、スリーブ５０のスリット５２ａから係合板４７が外れると、この外れた勢いなどにより蓋板４６および係合板４７が自動的に開く。補助壁部４１に段差４１ｂが形成されているため、スリーブ５０の先端側の開口を通して外部にタバコＴが意図していないのに落ちることが防止される。
収容空間Ｒ１内に収容されたタバコＴの先端側を指でつまむなどして、ケース本体１０から所望の本数のタバコＴを取出す。
【００２７】
ケース本体１０からタバコＴを取出し終えたら、スリーブ５０に対してケース本体１０を基端側に移動させる。係止用突部３６および操作用突部３７が側板５４により押されることで弾性的に変形し、スリーブ５０内にケース本体１０が収容されたときに、側孔５４ａに係止用突部３６および操作用突部３７が係止する。
蓋板４６および係合板４７を接続部分で折り曲げ、スリーブ５０のスリット５２ａ内に係合板４７の先端部を挿通させる。
【００２８】
以上説明したように、本実施形態のタバコ用ケース１によれば、ケース本体１０の収容空間Ｒ１は、第一の壁部１２の側板片２１、２３、および第二の壁部１３、１４の側板片３１、３３により２重に囲われている。このため、例えば側板片２１、２３の一方が傷つくなどして損傷した場合であっても、側板片２１、２３の他方により収容空間Ｒ１内に収容されたタバコＴを確実に保護することができる。
また、側板片２１、２３の間に穴部１４ａとして緩衝空間が形成されることによって、外部からの衝撃に対して内容物を保護する効果が高まっている。これは、側板片３１、３３についても同様である。
蓋板４６の長さＬ１の方が筒孔５１の長さＬ２よりも長いため、スリーブ５０内に収容されたケース本体１０がスリーブ５０に対して基端側に移動することを防ぐことができる。
【００２９】
ケース本体１０は係合板４７を有し、スリーブ５０にはスリット５２ａが形成されている。ケース本体１０がスリーブ５０内に収容された状態からケース本体１０を先端側に移動させることでスリット５２ａから係合板４７が外れ、蓋板４６および係合板４７を自動的に開けることができる。
ケース本体１０に設けられた補助壁部４１により段差４１ｂが形成されている。したがって、蓋板４６を開けたときに、タバコＴがケース本体１０から意図していないのに落ちることを防止することができる。
【００３０】
第二の壁部１３の第二の外側板片３３には係止用突部３６が設けられ、スリーブ５０には側孔５４ａが形成されている。側孔５４ａに係止用突部３６が挿通することでスリーブ５０にケース本体１０を係止させることができる。また、第二の壁部１３などを弾性的に変形させることで、係止用突部３６を側孔５４ａ内から移動させ、スリーブ５０とケース本体１０との係止を解除させることができる。
ケース本体１０は厚さが薄いため、比較的小さな力で第二の壁部１３を変形させることができ、タバコ用ケース１がユニバーサルデザインで開けやすいものとなる。
なお、本実施形態では、収容容器に収容される内容物は、棒状の菓子、食品、化粧品などでもよい。
【００３１】
以上、本発明の一実施形態について図面を参照して詳述したが、具体的な構成はこの実施形態に限られるものではなく、本発明の要旨を逸脱しない範囲の構成の変更、組み合わせなども含まれる。
例えば、前記実施形態では、図８に示すタバコ用ケース１Ａのように、スリーブ５０Ａの側板５４、５５の先端側の縁部にダストフラップ６１、６２が回動可能に連結されてもよい。この場合、ダストフラップ６１をダストフラップ６２側に、ダストフラップ６２をダストフラップ６１側にそれぞれ折り返してから、スリーブ５０の先端側の開口を蓋板４６で覆い、スリーブ５０のスリット５２ａ内に係合板４７の先端部を挿通させる。
このように構成することで、スリーブ５０の先端側の開口からケース本体１０の収容空間Ｒ１内にゴミなどが入るのを抑制することができる。
【００３２】
図９に示す変形例では、収容容器が、粒状菓子Ｗを収容するための菓子用ケース２である例を示している。
菓子用ケース２のケース本体７０は、前記実施形態のケース本体１０の補助壁部４１に代えて補助壁部７１を備えている。
補助壁部７１には、幅が粒状菓子Ｗの径よりも大きく、湾曲した形状の振出し用凹部７１ａが形成されている。振出し用凹部７１ａは、収容空間Ｒ１に連通している。底板１１と補助壁部７１の天面７１ｂとの距離は、底板１１と第二の壁部１３、１４の第二の天板片３２との距離に等しい。この変形例では、係合板４７の先端部に、使用者が係合板４７を操作するためのツマミ４７ａが設けられている。
【００３３】
このように構成された菓子用ケース２では、使用者はツマミ４７ａを把持して蓋板４６および係合板４７を開ける。菓子用ケース２を幅方向に振ると、収容空間Ｒ１に収容された粒状菓子Ｗが振出し用凹部７１ａに案内され、振出し用凹部７１ａの先端側の開口から外部に取出される。
【００３４】
図１０に示すタバコ用ケース３のように、ケース本体８０に前記実施形態のケース本体１０の係止用突部３６および操作用突部３７に代えて、係止用突部８１および操作用突部８２を備えるように構成してもよい。
係止用突部８１および操作用突部８２は、底板１１に立設方向Ｄに立設するように設けられている。操作用突部８２は、係止用突部８１よりも基端側に配置されている。係止用突部８１および操作用突部８２は、底板１１の幅方向の中央部に配置されている。操作用突部８２は、第一の壁部１２に直接連結されている。
タバコ用ケース３のスリーブ９０は、スリーブ５０の側孔５４ａに代えて、天板５２に側孔５２ｂが形成されたものである。
【００３５】
このように構成されたタバコ用ケース３では、スリーブ９０内にケース本体８０を収容したときに、スリーブ９０の側孔５２ｂに係止用突部８１および操作用突部８２が挿通し、側孔５２ｂに係止用突部８１および操作用突部８２が係止される。
操作用突部８２が幅方向の中央部に配置されているため、使用者は左右どちらの手を用いてタバコ用ケース３を把持しても、操作用突部８２を操作しやすくなる。
この変形例においても、操作用突部８２を指で底板１１側に押すことで、側孔５２ｂと係止用突部８１および操作用突部８２との係止が解除され、スリーブ９０に対してケース本体８０が長手方向に移動できるようになる。
【００３６】
前記実施形態およびその変形例では、ケース本体１０に係合板４７は備えられなくてもよい。例えば、補助壁部４１と蓋板４６との接続部分に蓋板４６が立設方向Ｄに平行に配置されるような曲り癖をつけることで、蓋板４６でスリーブ５０の先端側の開口を覆うことができるからである。
また、ケース本体１０に蓋板４６は備えられなくてもよい。補助壁部を第二の壁部１３、１４と同じ位にまで高くすることで、ケース本体１０の収容空間Ｒ１内にゴミなどが入るのを抑制することができるからである。
ケース本体１０に補助壁部４１は備えられなくてもよい。タバコ用ケース１を第一の壁部１２側が下方となるように使用すれば、タバコＴが収容空間Ｒ１内から外部に落ちないからである。
【００３７】
前記実施形態およびその変形例では、ケース本体１０に係止用突部３６および操作用突部３７が設けられなく、かつ、スリーブ５０に側孔５４ａが形成されないように構成してもよい。ケース本体１０とスリーブ５０との間に作用する摩擦力が比較的大きい場合には、スリーブ５０からケース本体１０が意図していないのに落ちることが防止されるからである。
スリーブ５０は厚紙で形成されるとしたが、スリーブを形成する材料に制限はなく、スリーブをプラスチック製のシートなどで形成してもよい。スリーブをプラスチック製のシートで形成した場合には、スリーブが耐油性を有することになる。この場合には、チョコレートなどの油分を有する内容物でも、スリーブが内容物に直接接触しうる収容形式である、いわゆる直詰めが可能となる。
また、スリーブを、厚紙と、この厚紙に形成された窓部に貼り付けられたプラスチック製のフィルムとにより構成してもよい。
【００３８】
スリーブを透明な材料で形成して、外部からスリーブを通して内容物を目視などで確認できるようにしてもよい。
真空成形の特性を生かして、内容物に応じてケース本体に自由に中仕切りなどを形成することができ、収容容器を製造する際のコストダウン効果が期待できる。
【符号の説明】
【００３９】
１、１Ａ、２、３  収容容器
１０、７０、８０  ケース本体
１１  底板
１１ａ  第一の縁部
１１ｂ  第一の面
１１ｃ  第二の縁部
１２  第一の壁部
１３、１４  第二の壁部
２１  第一の内側板片
２２  第一の天板片
２３  第一の外側板片
３１  第二の内側板片
３２  第二の天板片
３３  第二の外側板片
３６  係止用突部（突部）
４１  補助壁部
４６  蓋板
４７  係合板
５０、５０Ａ、９０  スリーブ（筒状体）
５２ａ  スリット
５４ａ  側孔
Ｄ    立設方向
Ｌ１、Ｌ２  長さ
【図１】
2015030506.tif 000003
【図２】
2015030506.tif 000004
【図３】
2015030506.tif 000005
【図４】
2015030506.tif 000006
【図５】
2015030506.tif 000007
【図６】
2015030506.tif 000008
【図７】
2015030506.tif 000009
【図８】
2015030506.tif 000010
【図９】
2015030506.tif 000011
【図１０】
2015030506.tif 000012